(57)【要約】【課題】陳列室内に複数段の陳列台を重ね、陳列台の手前側と上部とにトレイに収容した惣菜を陳列する惣菜用オープンショーケースにおいて、上段側に陳列されている惣菜のみならず下段側に陳列されている惣菜も確実に冷却する。【解決手段】前面に開口４が形成され内部に陳列室５が形成されたショーケース本体３の内部に、ショーケース本体３の背面側外周壁３ａとの間に冷気ダクト８を形成する内部パネル６が設けられ、陳列室５内に階段状に積み重ねて複数段の陳列台１６、１７が設置され、陳列台１６、１７の手前側と陳列台の上部とにトレイ１８に収容された惣菜が陳列される惣菜用オープンショーケース１において、内部パネル６に冷気ダクト８内を送風される冷気の一部が通過可能となる冷気通過孔１２が形成され、陳列台１６、１７に、冷気通過孔１２に連通されこの冷気通過孔１２を通過した冷気を陳列室５の正面側に導く風道ダクト１６ｄが設けられている。【選択図】図１
2016137175.tif 000002
【特許請求の範囲】
【請求項１】
前面に開口が形成され内部に陳列室が形成されたショーケース本体と、前記ショーケース本体の内部に設けられ、前記ショーケース本体の背面側外周壁との間に冷気ダクトを形成する内部パネルと、前記陳列室内の上部に設けられ前記冷気ダクト内を送風された冷気が吹き出す吹出口と、前記陳列室内の正面側下部に設けられ前記吹出口から吹き出した冷気が吸い込まれる吸込口と、前記陳列室内に階段状に積み重ねて設置される複数段の陳列台とを有し、前記陳列台の手前側と前記陳列台の上部とにトレイに収容された惣菜が陳列される惣菜用オープンショーケースにおいて、
前記内部パネルに前記冷気ダクト内を送風される冷気の一部が通過可能となる冷気通過孔が形成され、前記陳列台に、前記冷気通過孔に連通されこの冷気通過孔を通過した冷気を前記陳列室の正面側に導く風道ダクトが設けられていることを特徴とする惣菜用オープンショーケース。
【請求項２】
前記陳列台は、台部とこの台部の上部側に位置して前記トレイに収容された惣菜が陳列される天板とを有し、前記天板の先端部は、前記台部の前側の垂直面部より前記陳列室の正面側に延出され、前記天板の下面側と前記垂直面部の上端との間に、前記風道ダクト内を導かれた冷気が吹き出す前側開口が形成されていることを特徴とする請求項１記載の惣菜用オープンショーケース。
【請求項３】
前記垂直面部に鏡面板が取付けられていることを特徴とする請求項２記載の惣菜用オープンショーケース。
【請求項４】
前記台部の後側の垂直面部に前記冷気通過孔に連通する前記風道ダクトの後側開口が形成され。この後側開口の面積は前記前側開口の面積より大きく形成されていることを特徴とする請求項２又は３記載の惣菜用オープンショーケース。
【請求項５】
各段の前記陳列台は、前記陳列室の間口寸法と同等の横幅寸法を有する１つの陳列台、又は、合計の横幅寸法が前記陳列室の間口寸法と同等になる複数の陳列台であることを特徴とする請求項１ないし４のいずれか一項に記載の惣菜用オープンショーケース。
【発明の詳細な説明】
【技術分野】
【０００１】
本発明は、惣菜を陳列してセルフ方式で販売する場合に使用する惣菜用オープンショーケースに関する。
【背景技術】
【０００２】
従来、トレイに収容された惣菜を陳列し、個々の買い物客が希望する数量の惣菜をトングで掴んでパックに入れるというセルフ方式の販売が行われている。このような販売を行う場合には、トレイに収容された惣菜を陳列する陳列室と、陳列された惣菜を冷却する冷凍装置とを備えた惣菜用オープンショーケースが使用されている。
【０００３】
このような惣菜用オープンショーケースでは、陳列室内に上下複数段の陳列台が階段状に積み重ねて設置され、陳列台の手前側と上部とにトレイに収容された惣菜が陳列されている。また、冷凍装置により冷却された冷気が、陳列室内の上部に設けられた吹出口から吹き出すとともに陳列室内の手前側下部に設けられた吸込口から吸い込まれることにより、陳列室の正面側に冷気のエアカーテンが形成されている。
【０００４】
さらに、このような惣菜用オープンショーケースでは、陳列されている惣菜を美しく、美味しく見せるため、スポットライトを使用してその惣菜を照明する場合が多い。
【０００５】
しかしながら、冷気のエアカーテンは、陳列室外の空気の影響を受け、吸込口に近付くにつれて温度が上昇する。また、スポットライトとしてハロゲンランプを使用する場合があり、ハロゲンランプは輻射熱量が大きいために陳列室内はハロゲンランプからの輻射熱により暖められる。
【０００６】
このため、陳列室内の温度は吸込口に近付くにつれて上昇し、吸込口近くの下段側に陳列されている惣菜が暖められて劣化しやすくなっている。
【０００７】
吸込口近くの下段側に陳列されている惣菜の劣化を防止するためには、冷凍装置の出力を上げて冷気の温度を下げることが考えられるが、その場合には、消費電力が上昇してコストアップとなる。さらに、冷気の温度を下げることにより陳列台が冷やされて結露が生じ易くなり、結露によって生じた水滴が陳列されている惣菜に垂れるという問題が発生する。
【０００８】
下記特許文献１には、陳列室内の上下方向に複数段の陳列棚を有するオープンショーケースにおいて、各陳列棚の下側に風道ダクトを形成し、冷気ダクト内を送風される冷気の一部を風道ダクト内を通して陳列室の正面側に吹き出させるようにしたものが記載されている。
【先行技術文献】
【特許文献】
【０００９】
【特許文献１】特開平１０−３００３１５号公報
【発明の概要】
【発明が解決しようとする課題】
【００１０】
しかしながら、特許文献１に記載されているオープンショーケースは、陳列棚を有するためにこの陳列棚に風道ダクトを形成することができるが、陳列棚を有しない惣菜用オープンショーケースでは、このような風道ダクトを形成することはできない。
【００１１】
本発明は、このような課題を解決するためになされたものであり、その目的は、陳列室内に複数段の陳列台を積み重ねて設置し、陳列台の手前側と上部とにトレイに収容した惣菜を陳列する惣菜用オープンショーケースにおいて、上段側に陳列されている惣菜のみならず下段側に陳列されている惣菜も確実に冷却することができる惣菜用オープンショーケースを提供することである。
【課題を解決するための手段】
【００１２】
本発明に係る惣菜用オープンショーケースは、前面に開口が形成され内部に陳列室が形成されたショーケース本体と、前記ショーケース本体の内部に設けられ、前記ショーケース本体の背面側外周壁との間に冷気ダクトを形成する内部パネルと、前記陳列室内の上部に設けられ前記冷気ダクト内を送風された冷気が吹き出す吹出口と、前記陳列室内の正面側下部に設けられ前記吹出口から吹き出した冷気が吸い込まれる吸込口と、前記陳列室内に階段状に積み重ねて設置される複数段の陳列台とを有し、前記陳列台の手前側と前記陳列台の上部とにトレイに収容された惣菜が陳列される惣菜用オープンショーケースにおいて、前記内部パネルに前記冷気ダクト内を送風される冷気の一部が通過可能となる冷気通過孔が形成され、前記陳列台に、前記冷気通過孔に連通されこの冷気通過孔を通過した冷気を前記陳列室の正面側に導く風道ダクトが設けられている。
【００１３】
また、前述の本発明に係る惣菜用オープンショーケースにおいて、前記陳列台は、台部とこの台部の上部側に位置して前記トレイに収容された惣菜が陳列される天板とを有し、前記天板の先端部は、前記台部の前側の垂直面部より前記陳列室の正面側に延出され、前記天板の下面側と前記垂直面部の上端との間に、前記風道ダクト内を導かれた冷気が吹き出す前側開口が形成されていることが望ましい。
【００１４】
また、前述の本発明に係る惣菜用オープンショーケースにおいて、前記垂直面部に鏡面板が取付けられていることが望ましい。
【００１５】
また、前述の本発明に係る惣菜用オープンショーケースにおいて、前記台部の後側の垂直面部に前記冷気通過孔に連通する前記風道ダクトの後側開口が形成され。この後側開口の面積は前記前側開口の面積より大きく形成されていることが望ましい。
【００１６】
また、前述の本発明に係る惣菜用オープンショーケースにおいて、各段の前記陳列台は、前記陳列室の間口寸法と同等の横幅寸法を有する１つの陳列台、又は、合計の横幅寸法が前記陳列室の間口寸法と同等になる複数の陳列台であることが望ましい。
【発明の効果】
【００１７】
本発明に係る惣菜用オープンショーケースは、冷気ダクト内を送風された冷気が、吹出口から吹き出して吸込口に吸い込まれるように流れることにより陳列室の正面側に冷気のエアカーテンが形成されるとともに、冷気ダクト内を送風される冷気の一部が内部パネルに形成された冷気通過孔を通過した後に陳列台に設けられた風道ダクト内を通って陳列室の正面側に導かれる。このため、陳列室内の下段側の温度上昇を抑制することができ、陳列室内の上段側に陳列されている惣菜のみならず陳列室内の下段側に陳列されている惣菜も確実に冷却することができ、陳列室内の下段側に陳列されている惣菜が暖まって劣化するということを防止できる。
【００１８】
また、陳列台は、台部とこの台部の上部側に位置する天板とを有し、天板の先端部は、台部の前側の垂直面部より陳列室の正面側に延出され、天板の下面側と垂直面部の上端との間に、風道ダクト内を導かれた冷気が吹き出す前側開口が形成されている。このため、冷気が吹き出す前側開口が惣菜を購入する買い物客から見えなくなり、買い物客に違和感を与えることなく買い物をしてもらうことができる。
【００１９】
また、垂直面部に鏡面板が取付けられているため、陳列されている惣菜が鏡面板に映り、陳列されている惣菜のボリューム感を高めることができ、買い物客の購買意欲を高めることができる。
【００２０】
また、後側開口の面積が前側開口の面積より大きいため、風道ダクト内を導かれた冷気の前側開口からの吹き出し性能を高めることができ、陳列されている惣菜の冷却性能を高めることができる。
【００２１】
また、各段の陳列台を、陳列室の間口寸法と同等の横幅寸法を有する１つの陳列台、又は、合計の横幅寸法が陳列室の間口寸法と同等になる複数の陳列台とすることにより、陳列室内のスペースを有効に利用して惣菜を陳列することができる。さらに、複数の陳列台を使用した場合には、各陳列台の奥行き寸法が異なるものを組み合わせることにより、惣菜の陳列状態にバリエーションを持たせることができる。
【図面の簡単な説明】
【００２２】
【図１】本発明の一実施形態の惣菜用オープンショーケースを示す断面側面図である。
【図２】陳列台を示す分解斜視図である。
【発明を実施するための形態】
【００２３】
本発明の一実施形態の惣菜用オープンショーケース１について、図面に基づいて説明する。図１は、惣菜用オープンショーケース１を示す断面側面図である。この惣菜用オープンショーケース１は、基台２と、基台２の上に固定されたショーケース本体３とを有している。ショーケース本体３は、断面形状略コの字型の断熱材で形成され、前面に開口４が形成され、内部に陳列室５が形成されている。
【００２４】
また、ショーケース本体３の内部には、上下方向に延出した内部パネル６と、水平方向に延出した底板７とが設けられている。内部パネル６とショーケース本体３の背面側外周壁３ａとの間、及び、底板７とショーケース本体３の底面側外周壁３ｂとの間には、冷気ダクト８が形成されている。冷気ダクト８内には、冷却器９と送風ファン１０とが設置されている。
【００２５】
冷却器９には、冷媒が流れるパイプを介して圧縮機や凝縮器や膨張弁（いずれも図示せず）等が接続されており、これらの冷却器９や圧縮機、凝縮器、膨張弁等により冷気を生成する冷凍装置が構成されている。膨張弁は冷却器９と共に冷気ダクト８内に設置され、圧縮機と凝縮器とは基台２内に設置されている。基台２には、圧縮機や凝縮器で発生した熱を排熱する排熱ダクト１１が接続され、排熱ダクト１１はショーケース本体３の背面側外周壁３ａの後側に立設されている。
【００２６】
冷却器９内では冷媒が気化され、冷却器９の周囲では気化熱が奪われることにより冷気が生成される。生成された冷気は、送風ファン１０が駆動されることにより冷気ダクト８内を矢印で示す方向に送風されるようになっている。
【００２７】
内部パネル６には、冷気ダクト８内を送風される冷気の一部が通過可能となる複数の冷気通過孔１２が形成されている。
【００２８】
陳列室５内の上部には、冷気ダクト８内を送風された冷気が吹き出す吹出口１３が形成されている。吹出口１３には、吹き出す冷気の流れを整流する吹出口整流体１４が取付けられている。陳列室５内の正面側下部には、吹出口１３から吹き出した冷気が吸い込まれる吸込口１５が形成されている。吹出口１３から吹き出した冷気が吸込口１５に吸い込まれることにより、陳列室５の正面側に冷気のエアカーテンが形成される。
【００２９】
陳列室５内には、上下２段の陳列台１６、１７が階段状に積み重ねられて設置され、これらの陳列台１６、１７はその後部を内部パネル６に突き当てられている。下段の陳列台１６は底板７の上に載置され、下段の陳列台１６の上に上段の陳列台１７が載置されている。陳列台１６、１７の奥行き寸法は、下段の陳列台１６が上段の陳列台１７より大きく形成されている。そして、陳列台１６の手前側であって底板７の上部の領域と、陳列台１７の手前側であって陳列台１６の上部の領域と、陳列台１７の上部の領域とに、トレイ１８に収容された惣菜が陳列されている。
【００３０】
陳列台１６は、台部１６ａと、台部１６ａの上部側に位置して台部１６ａに固定された内部仕切板１６ｂと、内部仕切板１６ｂより上方に位置して台部１６ａに固定された天板１６ｃとを有している。内部仕切板１６ｂと天板１６ｃとの間には、冷気が導かれる風道ダクト１６ｄが形成されている。天板１６ｃの先端部は、台部１６ａの前側の垂直面部１６ｅより陳列室５の正面側に延出され、天板１６ｃの下面側と垂直面部１６ｅの上端との間に、風道ダクト１６ｄ内を導かれた冷気が吹き出す前側開口１６ｆが形成されている。台部１６ａの後側の垂直面部１６ｇの上端と天板１６ｃの下面側との間には、後側開口１６ｈが形成されている。この後側開口１６ｈは、陳列台１６を底板７の上に載置してその後部を内部パネル６に突き当てたた場合に、内部パネル６に形成された下側の冷気通過孔１２に連通されるようになっている。後側開口１６ｈの面積は、前側開口１６ｆの面積より大きく形成されている。陳列台１６の横幅寸法は、陳列室５の間口寸法と同等に形成されている。垂直面部１６ｅには、鏡面板であるアクリルミラー１６ｉが貼り付けられている。
【００３１】
陳列台１７は、陳列台１６と比較すると奥行き寸法が異なるだけで他の構造は同じである。即ち、陳列台１７は、台部１７ａと内部仕切板１７ｂと天板１７ｃとを有し、内部仕切板１７ｂと天板１７ｃとの間に風道ダクト１７ｄが形成されている。天板１７ｃの先端部は、前側の垂直面部１７ｅより陳列室５の正面側に延出され、天板１７ｃの下面側と垂直面部１７ｅの上端との間に前側開口１７ｆが形成されている。台部１７ａの後側の垂直面部１７ｇの上端と天板１７ｃの下面側との間には、後側開口１７ｈが形成されている。この後側開口１７ｈは、陳列台１７を陳列台１６の上に載置してその後部を内部パネル６に突き当てた場合に、内部パネル６に形成された上側の冷気通過孔１２に連通されるようになっている。後側開口１７ｈの面積は、前側開口１７ｆの面積より大きく形成されている。陳列台１７の横幅寸法は、陳列室５の間口寸法と同等に形成されている。垂直面部１７ｅには、鏡面板であるアクリルミラー１７ｉが貼り付けられている。
【００３２】
ショーケース本体３の背面側外周壁３ａには、支持アーム１９が固定され、支持アーム１９の先端部にはトレイ１８に収容されて陳列された惣菜を照明するためのスポットライト２０が支持されている。このスポットライト２０としては、例えば、ハロゲンランプやＬＥＤ照明灯が使用されている。
【００３３】
図２は、陳列台１６を示す分解斜視図である。上述したように、陳列台１６は、台部１６ａと、台部１６ａの上部側に位置して台部１６ａに固定される内部仕切板１６ｂと、内部仕切板１６ｂより上方に位置して台部１６ａに固定される天板１６ｃとを有している。台部１６ａに内部仕切板１６ｂと天板１６ｃとを固定することにより、内部仕切板１６ｂと天板１６ｃとの間に風道ダクト１６ｄが形成される。台部１６ａの前側の垂直面部１６ｅには、アクリルミラー１６ｉが貼り付けられる。
【００３４】
このような構成において、この惣菜用オープンショーケース１では、図１に示すように陳列室５内に上下２段の陳列台１６、１７が階段状に積み重ねて設置され、陳列台１６の手前側であって底板７の上部の領域と、陳列台１７の手前側であって天板１６ｃの上部の領域と、天板１７ｃの上部の領域とにトレイ１８に収容された惣菜が陳列されている。そして、冷凍装置が駆動されることにより冷気が生成され、生成された冷気により陳列された惣菜が冷却される。また、陳列された惣菜は、スポットライト２０により照明されている。
【００３５】
生成された冷気による惣菜の冷却について、説明する。冷凍装置により生成された冷気は、矢印で示すように冷気ダクト８内を送風された後に吹出口１３から吹き出し、吹き出した冷気が吸込口１５から吸い込まれることにより、陳列室５の正面側に冷気のエアカーテンが形成される。
【００３６】
さらに、冷気ダクト８内を送風される冷気の一部が、内部パネル６に形成された冷気通過孔１２を通過し、冷気通過孔１２を通過した後に陳列台１６、１７に設けられた風道ダクト１６ｄ、１７ｄ内を導かれ、前側開口１６ｆ、１７ｆから陳列室５の正面側に吹き出す。
【００３７】
ここで、吹出口１３から吹き出して吸込口１５に吸い込まれる冷気のエアカーテンは、陳列室５外の空気の影響を受け、吸込口１５に近付くにつれて温度が上昇する。一方、風道ダクト１６ｄ、１７ｄ内を導かれて前側開口１６ｆ、１７ｆから吹き出す冷気は、陳列室５外の空気の影響を受けずに低温状態のまま吹き出す。このため、陳列室５内の上部側の温度がエアカーテンにより低温に維持されるとともに、陳列室５内の下部側の温度が前側開口１６ｆ、１７ｆから吹き出す冷気により低温に維持される。したがって、陳列室５内の上段側に陳列されている惣菜が冷却されるとともに、陳列室５内の下段側に陳列されている惣菜も確実に冷却され、陳列室５内の下段側に陳列されている惣菜が温まって劣化することを防止できる。
【００３８】
各陳列台１６、１７の天板１６ｃ、１７ｃは、その先端部が垂直面部１６ｅ、１７ｅより陳列室５の手前側に延出している。このため、冷気が吹き出す前側開口１６ｆ、１７ｆは買い物客からは見えなくなり、買い物客に違和感を与えることなく買い物をしてもらうことができる。
【００３９】
また、各陳列台１６、１７の垂直面部１７ｅには、鏡面板であるアクリルミラー１６ｉ、１７ｉが貼り付けられている。このため、アクリルミラー１６ｉ、１７ｉの前方に陳列されている惣菜がアクリルミラー１６ｉ、１７ｉに映り、陳列されている惣菜のボリューム感が高くなり、買い物客の購買意欲を高めることができる。
【００４０】
また、各陳列台１６、１７において、後側開口１６ｈ、１７ｈの面積が前側開口１６ｆ、１７ｆの面積より大きく形成されている。このため、風道ダクト１６ｄ、１７ｄ内を導かれた冷気の前側開口１６ｆ、１７ｆからの吹き出し性能を高めることができ、前側開口１６ｆ、１７ｆの前方に陳列されている惣菜の冷却性能を高めることができる。
【００４１】
また、各段の陳列台１６、１７の横幅寸法は、陳列室５の間口寸法と同等に形成されている。このため、陳列室５内のスペースを有効に利用して惣菜を陳列することができる。
【００４２】
なお、本実施の形態では、陳列室５の間口寸法と同等の横幅寸法を有する陳列台１６、１７を用いた場合を例に挙げて説明したが、これらの陳列台１６、１７に代えて、合計の横幅寸法が陳列室５の間口寸法と同等になる複数の陳列台を横方向に並べて用いてもよい。この場合、横方向に並べられた複数の陳列台を奥行き寸法が異なるものの組み合わせとしてもよく、この組み合わせにより惣菜の陳列状態にバリエーションを持たせることができる。
【符号の説明】
【００４３】
１    惣菜用オープンショーケース
２    基台
３    ショーケース本体
４    開口
５    陳列室
６    内部パネル
７    底板
８    冷気ダクト
９    冷却器
１０    送風ファン
１１    排熱ダクト
１２    冷気通過孔
１３    吹出口
１４    吹出口整流体
１５    吸込口
１６、１７  陳列台
１６ａ、１７ａ  台部
１６ｂ、１７ｂ  内部仕切板
１６ｃ、１７ｃ  天板
１６ｄ、１７ｄ  風道ダクト
１６ｅ、１７ｅ  垂直面部
１６ｆ、１７ｆ  前側開口
１６ｇ、１７ｇ  垂直面部
１６ｈ、１７ｈ  後側開口
１６ｉ、１７ｉ  アクリルミラー（鏡面板）
１８    トレイ
１９    支持アーム
２０    スポットライト
【図１】
2016137175.tif 000003
【図２】
2016137175.tif 000004